(57)【要約】      （修正有）【課題】屋外設置されるパワーコンディショナの筐体が防水を目的とした密閉構造である場合、蓋を閉じたときは筐体の内部に雨滴などが侵入しない防水構造となり、蓋を開ける場合及び蓋を閉じる場合に蓋が落下しないように安全を図ることができる技術を提供する。【解決手段】パワーコンディショナの筐体は、裏側壁の少なくとも一部がヒートシンク５で構成され周囲壁によって表側開口を形成したケーシング２と、ケーシング２の表側開口を開閉するようにケーシング２に固定される蓋３を備え、蓋３は、蓋３の下部がケーシング２から離れた斜め状態でケーシングの周囲壁の上壁から上方へ突出した係止フランジ８Ａに蓋３の上辺に下向きに形成した係止部が係止する係合部を軸として、蓋３がケーシング２の表側開口を閉じるように回動する関係に保持され、蓋３はネジによる固定によって周囲壁の先端（前端）が蓋の裏側の防水用パッキン４に食い込み状態で密着すること。【選択図】図７
2012169341.tif 000002
【特許請求の範囲】
【請求項１】
防水構造の筐体内に収容されたパワーコンディショナにおいて、前記筐体は、裏側壁の少なくとも一部がヒートシンクで構成され周囲壁によって表側開口を形成したケーシングと、前記ケーシングの表側開口を開閉するように前記ケーシングに着脱可能にネジにて固定される蓋と、前記蓋の裏側に取り付けられ前記周囲壁の先端（前端）と密着するパッキンを備え、前記ケーシングの周囲壁の上壁から上方へ突出した係止フランジと、前記蓋の上辺に下向きに形成した係止部を備え、前記蓋は、前記蓋の下部が前記ケーシングから離れた斜め状態で前記係止フランジに前記蓋の係止部が係止するその係合部を軸として前記蓋が前記ケーシングの表側開口を閉じるように回動する関係に前記ケーシングに保持され、前記蓋は前記ネジによる固定によって前記周囲壁の先端（前端）が前記防水用パッキンに食い込み状態で密着することを特徴とするパワーコンディショナ。
【請求項２】
前記ケーシングの下壁の内側には前記パワーコンディショナの所定の回路部を開閉するスイッチを設け、前記ケーシングの周囲壁の下壁には前記スイッチを手動操作するスイッチ操作部とリード線引き出し部とが下方へ突出する状態に設けられ、前記蓋は前記表側開口の全体を覆う大きさを有していて前記蓋の下辺部が前記リード線引き出し部と手動操作のスイッチ操作部を覆うことを特徴とする請求項１に記載のパワーコンディショナ。
【請求項３】
前記蓋は、上辺部では前記係止部が前記係止フランジと係合し、左右辺部では前記周囲壁の左右の壁から外方へ突出した取り付けフランジに着脱可能にネジ固定されたことを特徴とする請求項１または２に記載のパワーコンディショナ。
【発明の詳細な説明】
【技術分野】
【０００１】
本発明は、パワーコンディショナに関し、特に、太陽電池などが発電する直流電力を交流電力に変換するパワーコンディショナの回路部が蓋付き筐体内に収容される屋外設置タイプにおける防水筐体構造に関するものである。
【背景技術】
【０００２】
屋内設置式の太陽光発電システム用パワーコンディショナとして、放熱特性がよく、且つ筐体表面が高温になることのないものを得るために、筐体を金属筐体とし、その筐体内に、太陽電池が発電する直流電力を交流電力に変換する直交変換回路と、この直交変換回路のパワーモジュールを取り付けたヒートシンクとを設置し、この金属筐体の天板の上面に外側樹脂シートを貼付したものがある（特許文献１）。
【先行技術文献】
【特許文献】
【０００３】
【特許文献１】特開２００９−１６４３５１号公報
【発明の概要】
【発明が解決しようとする課題】
【０００４】
この特許文献１では、パワーコンディショナの筐体内の放熱が良好に行なえると共に、パワーコンディショナの筐体に人が触れたときのやけどなどを防止できる効果が期待でき、このパワーコンディショナは屋内設置式として有用である旨の効果が記載されている。
【０００５】
本発明は、このような屋内設置式パワーコンディショナではなく、屋外設置式のパワーコンディショナを提供するものであり、屋外設置式とするためにパワーコンディショナの回路部が収容された筐体内へ雨水等が侵入しないように筐体を防水のための密閉構造にするものである。
【０００６】
本発明に係るパワーコンディショナは、太陽電池などが発電する直流電力を、昇圧回路、直流交流変換回路、及びリアクトルを含むフィルタ回路を通って交流電力に変換された電力が商用電力系統ＧＲＩＤへ供給される構成の回路が、防水構造の筐体内に収容されている。このパワーコンディショナは、筐体を開けて内部の回路の点検や動作確認などを行う必要があり、そのために筐体の前面開口を開閉する蓋を設け、この蓋を閉じたときは筐体の内部に雨滴などが侵入しない防水構造となり、蓋を開ける場合及び蓋を閉じる場合に蓋が落下しないように安全を図ることができる技術を提供するものである。
【課題を解決するための手段】
【０００７】
第１発明は、筐体内に高電圧となる電装部品等が収容されたパワーコンディショナにおいて、前記筐体は、裏側壁の少なくとも一部がヒートシンクで構成され周囲壁によって表側開口を形成したケーシングと、前記ケーシングの表側開口を開閉するように前記ケーシングに着脱可能にネジにて固定される蓋と、前記蓋の裏側に取り付けられ前記周囲壁の先端（前端）と密着するパッキンを備え、前記ケーシングの周囲壁の上壁から上方へ突出した係止フランジと、前記蓋の上辺に下向きに形成した係止部を備え、前記蓋は、前記蓋の下部が前記ケーシングから離れた斜め状態で前記係止フランジに前記蓋の係止部が係止するその係合部を軸として前記蓋が前記ケーシングの表側開口を閉じるように回動する関係に前記ケーシングに保持され、前記蓋は前記ネジによる固定によって前記周囲壁の先端（前端）が前記防水用パッキンに食い込み状態で密着することを特徴とする。
【０００８】
第２発明は、第１発明において、前記ケーシングの下壁の内側には前記パワーコンディショナの所定の回路部を開閉するスイッチを設け、前記ケーシングの周囲壁の下壁には前記スイッチを手動操作するスイッチ操作部とリード線引き出し部とが下方へ突出する状態に設けられ、前記蓋は前記表側開口の全体を覆う大きさを有していて前記蓋の下辺部が前記リード線引き出し部と手動操作のスイッチ操作部を覆うことを特徴とする。
【０００９】
第３発明は、第１発明または第２発明において、前記蓋は、上辺部では前記係止部が前記係止フランジと係合し、左右辺部では前記周囲壁の左右の壁から外方へ突出した取り付けフランジに着脱可能にネジ固定されたことを特徴とする。
【発明の効果】
【００１０】
第１発明では、蓋の下部がケーシングから離れた斜め状態において、ケーシングに形成した係止フランジに蓋の係止部が係止した係合部を軸として、蓋がケーシングの表側開口を閉じるように回動する関係にケーシングに保持されるため、蓋を閉じる際及び蓋を開ける際のいずれにおいても、ケーシングに形成した係止フランジに蓋の係止部が係止した状態となる。それゆえ、蓋が落下しないように保持された状態においてあり、蓋の開閉ができることとなり、安全確保上好ましいものとなる。また、蓋はネジによってケーシングに固定されるが、ケーシングの周囲壁の先端（前端）が防水用パッキンに食い込み状態で密着するため、蓋とケーシングの間の防水が良好となる。
【００１１】
第２発明では、蓋は表側開口の全体を覆う大きさを有していて、蓋の下辺部がリード線引き出し部と手動操作のスイッチ操作部を覆うことにより、リード線引き出し部と手動操作のスイッチ操作部が周囲壁の下壁を貫通する部分には雨滴がかかり難い状態となり、第１発明の効果と共に防水効果上好ましい状態となる。
【００１２】
第３発明は、蓋は、上辺部では係止部が係止フランジと係合して保持され、左右辺部では周囲壁の左右の壁から外方へ突出した取り付けフランジに着脱可能にネジ固定されるため、第１発明及び第２発明の効果を良好に果たせるものとなる。
【図面の簡単な説明】
【００１３】
【図１】本発明に係るパワーコンディショナの直流を交流に変換する回路構成図である。
【図２】本発明に係るＩＰＭとヒートシンクの取り付け関係説明図である。
【図３】本発明に係るＩＰＭとヒートシンクの取り付け関係を示す断面図である。
【図４】本発明に係るパワーコンディショナの正面斜視図である。
【図５】本発明に係るパワーコンディショナの蓋を開いた状態の蓋の裏側と筐体内の部品配置構成を示す斜視図である。
【図６】本発明に係るパワーコンディショナの蓋を開けた状態の筐体内の部品配置構成を示す正面図である。
【図７】本発明に係るパワーコンディショナの筐体内の部品配置構成を示す縦断側面図である。
【図８】本発明に係るパワーコンディショナの蓋の着脱時の状態及びフィルタ部のリアクタの取り付け部分の詳細図である。
【図９】本発明に係るパワーコンディショナの蓋を閉じた状態及びフィルタ部のリアクタの取り付け部分の詳細図である。
【図１０】本発明に係るパワーコンディショナの筐体構成を示す分解斜視図である。
【発明を実施するための形態】
【００１４】
本発明は、防水構造の筐体内に高電圧となる電装部品等を収容するパワーコンディショナにおいて、前記筐体は、裏側壁の少なくとも一部がヒートシンクで構成され周囲壁によって表側開口を形成したケーシングと、前記ケーシングの表側開口を開閉するように前記ケーシングに着脱可能にネジにて固定される蓋と、前記蓋の裏側に取り付けられ前記周囲壁の先端（前端）と密着するパッキンを備え、前記ケーシングの周囲壁の上壁から上方へ突出した係止フランジと、前記蓋の上辺に下向きに形成した係止部を備え、前記蓋は、前記蓋の下部が前記ケーシングから離れた斜め状態で前記係止フランジに前記蓋の係止部が係止するその係合部を軸として前記蓋が前記ケーシングの表側開口を閉じるように回動する関係に前記ケーシングに保持され、前記蓋は前記ネジによる固定によって前記周囲壁の先端（前端）が前記防水用パッキンに食い込み状態で密着する構成であり、以下にその実施例を図に基づき説明する。
【実施例１】
【００１５】
本発明に係るパワーコンディショナＰＣＤは、所期の動作をする電気回路部ＣＴが筐体１内に収容された形態である。この電気回路部ＣＴのうち、図１には本発明に係るパワーコンディショナＰＣＤの主回路ＭＣの構成を示している。図１において、太陽電池ＰＶが発電する直流電力の直流電圧を昇圧する昇圧回路を構成する昇圧部ＤＣ／ＤＣを備え、昇圧部ＤＣ／ＤＣで昇圧した直流電力を交流電力に変換するインバータ回路を構成するインバータ部ＩＮＶを備える。直流電源である太陽電池ＰＶからの直流電力は、チョッパ動作により昇圧部ＤＣ／ＤＣにて昇圧され、昇圧部ＤＣ／ＤＣで昇圧した直流電力は、インバータ部ＩＮＶにより交流電力に変換（ＤＣ／ＡＣ変換という）された後、ローパスフィルタ回路を構成するフィルタ部ＬＰＦを介して商用電力系統ＧＲＩＤの周波数に相当する所定の低周波数の正弦波の交流電力として、単相交流２００Ｖの商用電力系統ＧＲＩＤへ供給される構成である。
【００１６】
図１において、昇圧部ＤＣ／ＤＣは、リアクトルＬ１、スイッチング素子Ｔ１、ダイオードＤ０、ダイオードＤ１及びコンデンサＣ１で昇圧回路が構成され、太陽電池ＰＶから供給される直流電圧は、チョッパ制御部Ｈ１による制御によってスイッチング素子Ｔ１がＯＮ（オンという）及びＯＦＦ（オフという）動作して所定電圧に昇圧される。
【００１７】
また、インバータ回路ＩＮＶは、スイッチング制御のために４個のスイッチング素子Ｔ２〜Ｔ５が単相フルブリッジ接続されており、４個のスイッチング素子Ｔ２〜Ｔ５が、昇圧部ＤＣ／ＤＣから供給される直流電力をＰＷＭ制御部Ｈ２によってＯＮ（オンという）及びＯＦＦ（オフという）動作して、商用電力系統ＧＲＩＤの周波数に相当する所定の周波数の交流電力に変換される。このため、インバータ部ＩＮＶは、ＤＣ／ＡＣ変換部と称することができる。
【００１８】
フィルタ部ＬＰＦは、リアクトルＬ２、リアクトルＬ３及びコンデンサＣ３にて高周波数を遮断するローパスフィルタ回路を構成し、インバータ部ＩＮＶのスイッチング素子Ｔ２とＴ３の接続点ＱがリアクトルＬ２に接続され、スイッチング素子Ｔ４とＴ５の接続点ＲがリアクトルＬ３に接続され、インバータ部ＩＮＶから出力されるパルス電圧を平滑して商用電力系統ＧＲＩＤの周波数に相当する周波数の正弦波の交流電圧とし、制御リレーＲＹを介して商用電力系統ＧＲＩＤへ出力される。
【００１９】
図１において、昇圧部ＤＣ／ＤＣは、スイッチング素子Ｔ１がオン（ＯＮとする）状態になるとリアクトルＬ１にエネルギーが蓄積され、スイッチング素子Ｔ１がオフ（ＯＦＦとする）状態になるとリアクトルＬ１に蓄積されたエネルギーが放出されてコンデンサＣ１に充電される。この場合、スイッチング素子Ｔ１がＯＮ時間とＯＦＦ時間の割合を制御することにより、昇圧回路ＤＣ／ＤＣは、太陽電池ＰＶから供給される直流電圧を所定の電圧に昇圧する。ダイオードＤ１は、電流が太陽電池ＰＶ側へ逆流しないようにするためであり、スイッチング素子Ｔ１に並列のダイオードは、スイッチング素子Ｔ１の保護のためである。
【００２０】
ダイオードＤ０はリアクトルＬ１とダイオードＤ１をバイパスするように接続されており、太陽電池ＰＶの発電電圧がコンデンサＣ１の端子電圧（位置Ｐの電圧）を超える場合に太陽電池ＰＶの出力が直接このダイオードＤ０を介してコンデンサＣ１を充電しインバータ部ＩＮＶへ供給されるものである。すなわち、太陽電池ＰＶの発電量が大きく昇圧部ＤＣ／ＤＣによる昇圧を必要としないときは、太陽電池ＰＶの出力がリアクトルＬ１、ダイオードＤ１を経ることなくインバータ部ＩＮＶへ供給され、少なくともリアクタＬ１による発電電力の損失を防止できパワーコンディショナでの変換効率を上げることができるものである。一方、太陽電池ＰＶの出力が連続して通過するためその発熱量は大きいものとなる。この発熱量はダイオードＤ１がスイッチング素子Ｔ１の動作で断続的に通電される状態に比して大きいものである。
【００２１】
このような動作において、昇圧部ＤＣ／ＤＣは、その出力が最大値（ＰＷとする）になるようにするために、太陽電池ＰＶの出力電力の最大点で動作させる制御を行うようにチョッパ制御部Ｈ１が動作する。このための一つの制御方式として、太陽電池ＰＶの電流ＩＳと、太陽電池ＰＶと並列接続されたコンデンサＣＳの電圧ＶＣＳと、リアクトルＬ１の電流ＩＬとをチョッパ制御部Ｈ１が検出し、それによってスイッチング素子Ｔ１をスイッチング制御して、昇圧部ＤＣ／ＤＣから出力される電力が最大になるように、この昇圧比（スイッチング素子Ｔ１のＯＮデューティ）の制御をすることができる。
【００２２】
また、インバータ部ＩＮＶは、前記最大値（ＰＷとする）に基づいて算出した電流が商用電力系統ＧＲＩＤへ出力されるように、ＰＷＭ制御部Ｈ２によって商用電力系統ＧＲＩＤへ重畳される前記正弦波の交流電圧のピーク値を制御する。
【００２３】
図１に示すように、パワーコンディショナＰＣＤの主回路ＭＣの主制御部Ｈは、チョッパ制御部Ｈ１とＰＷＭ制御部Ｈ２を含んでいる。パワーコンディショナＰＣＤの主回路ＭＣは、図１に点線で囲む部分が一つのプリント配線基板ＰＢ１に配線され、スイッチング素子Ｔ１〜Ｔ５のそれぞれは、通常、ＩＧＢＴ（Ｉｎｓｕｌａｔｅｄ  Ｇａｔｅ  Ｂｉｐｏｌａｒ  Ｔｒａｎｓｉｓｔｏｒ）と称するものである。スイッチング素子Ｔ２〜Ｔ５は、図２に示すように、単一（一つ）のパッケージに収容される形態でモジュール化されており、ＩＰＭ（インテリジェントパワーモジュール）と称する。なお、製造上のメリットを出すために、スイッチング素子Ｔ１及びダイオードＤ１もスイッチング素子Ｔ２〜Ｔ５と共に単一（一つ）のパッケージに収容される形態でモジュール化することができる。このため、図２に示すものは、スイッチング素子Ｔ１〜Ｔ５及びダイオードＤ１が単一（一つ）のパッケージに収容されたＩＰＭモジュールを示している。
【００２４】
このＩＰＭにおいて、Ｖ１、Ｖ２は図１に示すＶ１、Ｖ２に相当し、Ｐ、Ｑ、Ｒが図１に示すＰ、Ｑ、Ｒに相当する。後述のように、このＩＰＭは裏側面（図２の下側面）がアルミニウム等の金属製の放熱面ＫＨとなっており、この放熱面ＫＨが後述のヒートシンク５の前面に密着するように、ネジ１２によってＩＰＭの取り付けフランジ部がヒートシンク５に固定され、ＩＰＭから発生する熱がヒートシンク５によって放熱される構成である。
【００２５】
図４は、防水のための密閉構造の筐体内に収容された本発明に係るパワーコンディショナＰＣＤの全体斜視図である。パワーコンディショナＰＣＤは屋外に縦方向に設置されるものであり、例えば家屋の外壁の縦壁ＨＫに略垂直状態に取り付けられるものである。このため、図１に示す主回路を含めて、電気回路部分を雨滴などから保護するために防水構造の筐体１に収容した形態とする。
【００２６】
筐体１は、略直方形状の金属製箱体であり、金属製ケーシング２と、このケーシング２の表側の開口１Ａを開閉可能な金属製蓋３にて閉じられ、裏側壁の少なくとも一部がヒートシンク５で構成され、内部にパワーコンディショナＰＣＤの電気回路部が収容された構成である。ヒートシンク５は、平板状の基盤部５Ｂの裏側に縦方向の放熱フィン５Ａが上下方向の空気通路５Ｃを存して複数並列形成されたものであり、基盤部５Ｂが筐体１内に臨み放熱フィン５Ａが筐体１の裏側に露出した状態でケーシング２に取り付けられる。筐体１を金属製としたのは、屋外設置であるため、太陽光に対して劣化しないように耐光性を考慮したものである。
【００２７】
ケーシング２は、上下の壁２Ａ、２Ｂ及び左右の壁２Ｃ、２Ｄでもって周囲壁２Ｓを構成し、表側と裏側に開口２Ｆ、２Ｒを形成した金属製である。ケーシング２の裏側壁の少なくとも一部がヒートシンク５で構成されるように、ケーシング２の裏壁２Ｅに形成した裏側開口２Ｒの周縁部のフランジ２Ｒ１に、ヒートシンク５の基盤部５Ｂが密着するようにネジ９にて取り付けられ、ケーシング２の裏側開口２Ｒが防水状態に塞がれている。この取り付けによって、放熱フィン５Ａが筐体１の裏側に露出した状態となる。この場合、フランジ２Ｒ１とヒートシンク５の間にシール用パッキンを介在させてもよい。
【００２８】
また、ケーシング２の表側開口２Ｆは開閉可能な蓋３にて防水状態に閉じられる。蓋３の内側周縁に環状の防水用パッキン４が両面テープ等によって取り付けられている。蓋３の左右辺部に形成した取り付け部３Ｂ、３Ｃを貫通する取り付け孔１０を通して、ネジ１１にてケーシング２の周囲壁２Ｓの左右の壁２Ｃ、２Ｄに設けた取り付けフランジ８Ｂ、８Ｃに固定される。この固定によって、ケーシング２の表側開口２Ｆを形成する周囲壁２Ｓの先端（前端）が、パッキン４に食い込み状態で当接することによって、ケーシング２と蓋３が防水状態にシールされる。蓋３はネジ１１を緩めることによってケーシング２から取り外し可能である。
【００２９】
ケーシング２の周囲壁２Ｓの上壁２Ａには、上方へ突出状態に係止フランジ８Ａが設けられており、蓋３の上辺３Ａには係止部３Ａ１を下向きに形成している。蓋３は表側開口１Ａの全体を覆う大きさを有している。ケーシング２への蓋３の取り付けは、家屋の外壁の縦壁ＨＫに略垂直状態に取り付けられたケーシング２に対して、蓋３の下部を持ち上げた斜め状態において、図８に示すように、蓋３の上辺３Ａに下向き形成した係止部３Ａ１をケーシング２の上壁２Ａの係止フランジ８Ａに係止するように係合させ、この係合部を軸として矢印Ｙ方向へ蓋３の下部をケーシング２に近づけるように回動させ、蓋３によってケーシング２の表側開口１Ａの全体を覆う。この状態で、上記のように、ネジ１１にてケーシング２の周囲壁２Ｓの左右の壁２Ｃ、２Ｄに外方へ突出して設けた取り付けフランジ８Ｂ、８Ｃに固定する。この固定によって、図７及び図９に示すように、表側開口１Ａの周縁を形成する周囲壁２Ｓの先端（前端）が蓋３の内側周縁に取り付けた防水用パッキン４に食い込み状態で密着し、表側開口１Ａの全周で防水シール状態となる。
【００３０】
蓋３の取り外しを行う場合は、ネジ１１を緩め、図８に示すように、係止部３Ａ１と係止フランジ８Ａとの係合部を軸として、矢印Ｙ方向へ蓋３のケーシング２に対して蓋３の下部を持ち上げ回動して斜めにした状態で、係止フランジ８Ａから蓋３の上辺３Ａの係止部３Ａ１が外れる位置まで蓋３を上方へ持ち上げ、その状態で蓋３を手前に引けば、ケーシング２から蓋３を取り外すことができる。
【００３１】
ケーシング２の周囲壁２Ｓの下壁２Ｂには、リード線引き出し部６と手動操作のスイッチ操作部７が下壁２Ｂから下方へ突出する状態に設けられている。リード線引き出し部６は、筐体１内に収容された電気回路部ＣＴと太陽電池ＰＶとを接続する接続ラインや、フィルタ回路ＬＰＦ及び制御リレーＲＹを介して商用電力系統ＧＲＩＤへ接続する接続ライン等のリード線が通る部分である。スイッチ操作部７は、筐体１内に配置されたスイッチＳＷのＯＮ・ＯＦＦ制御を筐体１の外側から手動操作する部分である。スイッチＳＷは、パワーコンディショナＰＣＤの所定の回路部を開閉するスイッチであり、実施例では、太陽電池ＰＶとパワーコンディショナＰＣＤの主回路ＭＣとを接続する回路を、開閉接片が直接開閉してＯＮ状態―ＯＦＦ状態を切り換えるスイッチＳＷを示している。スイッチＳＷは、ケーシング２の周囲壁２Ｓの下壁２Ｂに近接してケーシング２内に配置されており、スイッチＳＷから下壁２Ｂを貫通して筐体１外へ延びる操作軸７Ｊにスイッチ操作部７が取り付けられている。これらリード線引き出し部６とスイッチ操作部７は、ケーシング２に下壁２Ｂに対して適宜の防水シール構成の取り付け構造となっている。リード線引き出し部６とスイッチ操作部７を下壁２Ｂに設けたのは、雨滴が掛かり難い領域であるからである。
【００３２】
ケーシング２への蓋３の取り付けによって、図７に示すように、蓋３は表側開口１Ａを密閉すると共に、蓋３の下辺部３Ｄがリード線引き出し部６と手動操作のスイッチ操作部７を覆う状態となる。このため、リード線引き出し部６と手動操作のスイッチ操作部７が下壁２Ｂを貫通する部分には、雨滴がかかり難い状態となり防水効果上好ましい状態となる。
【００３３】
筐体１内に収容されたパワーコンディショナＰＣＤの電気回路部は、主回路ＭＣの配線を含めて、複数のプリント配線基板ＰＢ１〜ＰＢ５に形成され、筐体１内の収容配置は、リアクトルＬ１、Ｌ２、Ｌ３が配置される第１室１５と、プリント配線基板ＰＢ１〜ＰＢ５及びそれらに形成されたその他の電気回路部分が収容される第２室１６とに区画壁１７によって区画されている。昇圧部ＤＣ／ＤＣ、インバータ部ＩＮＶ及びフィルタ部ＬＰＦは、それらを構成する電気素子が接続されるプリント配線基板ＰＢ１に形成されている。プリント配線基板ＰＢ１〜ＰＢ５は、ヒートシンク５の平板状の基盤部５Ｂと間隔を存して基盤部５Ｂの前面側に並行に配置している。
【００３４】
プリント配線基板ＰＢ１は、ヒートシンク５の平板状の基盤部５Ｂと間隔ＳＰを存して基盤部５Ｂの前面側に基盤部５Ｂに並行に配置している。また、高電圧となり発熱量の大きい回路素子としては、スイッチング素子Ｔ１〜Ｔ５を一つのパッケージに収容したＩＰＭ（インテリジェントパワーモジュール）があるが、このＩＰＭは、間隔ＳＰに配置されるように、図７に示すように、プリント配線基板ＰＢ１の配線と接続する状態でプリント配線基板ＰＢ１の裏側に配置され、このＩＰＭの裏側面（図２の下側面）が金属製の放熱板ＫＨとなっており、この放熱板ＫＨが筐体１側に露出したヒートシンク５の基盤部５Ｂに密着するように、ネジ１２によってヒートシンク５に固定されている。これによって、ＩＰＭから発生する熱は、放熱板ＫＨを通してヒートシンク５に伝達され、ヒートシンク５の放熱フィン５Ａから放散される構成である。
【００３５】
図７に示すように、パワーコンディショナＰＣＤを家屋の外壁の縦壁ＨＫ等に沿って略垂直状態に取り付けられるために、図７及び図１０に示すように、放熱促進用ファン３４を取り付けたカバー板３５の上半部の裏側に、放熱促進用ファン３４を覆う状態で取り付け板３９が配置され、取り付け板３９は、その左右両側に形成した取り付け脚３９Ｅの先端フランジ部３９Ｆをヒートシンク５の基盤部５Ｂの左右部分にネジにて固定する。このネジは、専用のネジでもよいがカバー板３５を取り付けるネジ３８と兼用してもよい。取り付け板３９の上部には、家屋の外壁の縦壁ＨＫ等に取り付けられるための取り付け孔３９Ｈが形成されている。なお、カバー板３５の下端部には、後方へ折り曲げ形成した間隔保持部３５Ｐを形成しており、間隔保持部３５Ｐの後方先端３５Ｐ１が取り付け板３９の下方延長上となる状態に形成される。これによって、取り付け板３９を家屋の外壁の縦壁ＨＫ等に沿って取り付けるとき、間隔保持部３５Ｐの後方先端３５Ｐ１が家屋の外壁の縦壁ＨＫ等に当接するため、パワーコンディショナＰＣＤが家屋の外壁の縦壁ＨＫ等に沿って略垂直状態の取り付けを維持できるものとなる。
【００３６】
ケーシング２の上壁２Ａの内側面、即ち、リアクトルＬ１、Ｌ２、Ｌ３が収容される第１室１５の上壁２Ａの内面には、所定厚さに平板状の断熱材４３が貼着されている。これは、第１室１５の上壁２ＡはリアクトルＬ１、Ｌ２、Ｌ３の発熱によって温められるため、断熱材４３が存在しない場合には、パワーコンディショナＰＣＤの周囲温度が低下したとき、第１室１５の上壁２Ａの露付きが生じ、この露がリアクトルＬ１、Ｌ２、Ｌ３や第２室に落下して、電気絶縁状態が悪化する懸念がある。しかし、断熱材４３を設けることにより、この露付きを防止できるため、このような懸念は解消される。
【００３７】
プリント配線基板ＰＢ３に表示器３０が取り付けられており、蓋３の中央部に形成した縦方向の窪み３１の一部に形成した窓３３に表示器３０が臨む状態であり、窓３３から筐体１内に雨滴が侵入しないように、窪み３１全体に透明な樹脂カバー３２が液密状態に接着されている。表示器３０は、パワーコンディショナＰＣＤの動作状態や、故障時のエラーコードの表示等が表示される。
【産業上の利用可能性】
【００３８】
本発明に係るパワーコンディショナは、上記実施例に示した構成に限定されず、種々の形態のものに適用できるものであり、本発明の技術範囲において種々の形態を包含するものである。
【符号の説明】
【００３９】
１・・・・・筐体
２・・・・・金属製ケーシング
２Ｓ・・・・ケーシング２の周囲壁
３・・・・・金属製蓋
３Ａ・・・・蓋３の上辺部
３Ａ１・・・蓋３の上辺部３Ａの係止部
３Ｂ、３Ｃ・・・蓋３の左右辺部に形成した取り付け部
３Ｄ・・・・蓋３の下辺部
４・・・・・防水用パッキン
５・・・・・ヒートシンク
５Ａ・・・・放熱フィン
５Ｂ・・・・基盤部
５Ｃ・・・・空気通路
６・・・・・リード線引き出し部
７・・・・・手動操作のスイッチ操作部
８Ａ・・・・係止フランジ
８Ｂ、８Ｃ・・・取り付けフランジ
９・・・・・ネジ
１１・・・・ネジ
１２・・・・ネジ
１５・・・・第１室
１６・・・・第２室
１７・・・・区画壁
３０・・・・表示器
３４・・・・放熱促進用ファン
３５・・・・カバー板
３７・・・・送風用孔
３９・・・・取り付け板
ＰＣＤ・・・パワーコンディショナ
ＭＣ・・・・パワーコンディショナＰＣＤの主回路
ＩＰＭ・・・インテリジェントパワーモジュール
ＤＣ／ＤＣ・・・昇圧部
Ｌ１・・・・昇圧部ＤＣ／ＤＣのリアクトル
Ｄ１・・・・ダイオード
ＩＮＶ・・・インバータ部
ＬＰＦ・・・フィルタ部
Ｌ２、Ｌ３・・・フィルタ部ＬＰＦのリアクトル
ＧＲＩＤ・・・商用電力系統
ＰＶ・・・・太陽電池
ＰＢ１、ＰＢ２、ＰＢ３、ＰＢ４・・・プリント配線基板
【図１】
2012169341.tif 000003
【図２】
2012169341.tif 000004
【図３】
2012169341.tif 000005
【図４】
2012169341.tif 000006
【図５】
2012169341.tif 000007
【図６】
2012169341.tif 000008
【図７】
2012169341.tif 000009
【図８】
2012169341.tif 000010
【図９】
2012169341.tif 000011
【図１０】
2012169341.tif 000012